(57)【要約】【課題】ボールねじの循環ブロックを容易に、迅速に定位固定し、ボールをスムーズに回動させることができるボールねじの循環ブロックの定位構造を提供する。【解決手段】循環ブロック３０の一端または両端に定位キー３２が設けられ、ナット２０の端面の定位キー３２に対応する位置にキー溝２３が形成されて定位キー３２が支持され、ねじ３５またはＣ形リング４０によって循環ブロック３０が固定され、迅速に循環ブロック３０を定位固定でき、ボールの回動をスムーズにすることができる。【選択図】  図７
0003122121.tif 000002
【実用新案登録請求の範囲】
【請求項１】
ボールねじの循環ブロックの少なくとも一端に突出した定位キーが設けられ、ナットの前記循環ブロックに対応する位置には凹溝が貫通し、前記ナットの端面の定位キーに対応する位置には前記凹溝よりも大きいキー溝が形成され、前記キー溝には径方向に二つの支持面が形成され、
前記循環ブロックとナットとの間は螺合部材によって一体に固定されることを特徴とするボールねじの循環ブロックの定位構造。
【請求項２】
ボールねじの循環ブロックの少なくとも一端には突出した定位キーが設けられ、ナットの前記循環ブロックに対応する位置には凹溝が貫通し、前記ナット端面の定位キーに対応する位置には前記凹溝よりも大きいキー溝が形成され、前記キー溝には径方向に二つの支持面が形成され、
前記ナットの軸孔の外側に近い位置には環状凹溝が形成され、前記環状凹溝にはＣ形リングが嵌入されて循環ブロックが固定されることを特徴とするボールねじの循環ブロックの定位構造。
【請求項３】
前記ナットと循環ブロックとは、軸方向に対応した位置で螺合部材によって固定されることを特徴とする請求項１記載のボールねじの循環ブロックの定位構造。
【請求項４】
前記循環ブロックの定位キーは、螺合部材によって支持面に固定され、それによって循環ブロックは固定されることを特徴とする請求項１記載のボールねじの循環ブロックの定位構造。
【請求項５】
前記循環ブロックの少なくとも一側の端面には複数の深い孔が設けられ、定位キーは独立した塊体であり、深い孔の端面に対応する位置には複数の深い孔に対応し、サイズがほぼ等しい凸部が設けられ、前記凸部は前記深い孔内に挿入されて定位キーと循環ブロックとは一体に固定されることを特徴とする請求項１または２記載のボールねじの循環ブロックの定位構造。
【考案の詳細な説明】
【技術分野】
【０００１】
本考案はボールねじの循環ブロックを容易に定位でき、循環ブロックの循環溝とナットおよびねじ軸のねじ溝との接合を確実なものにすることによってボールをスムーズに回動させるボールねじの循環ブロックの定位構造を提供するものであり、主に、循環ブロックの一端または両端に定位キーが設けられ、ナット端面の定位キーに対応する位置にキー溝が形成されて定位キーが支持され、ねじまたはＣ形リングによって循環ブロックが固定され、迅速に循環ブロックを定位でき、ボールの回動をスムーズにすることができる構造に関する。
【背景技術】
【０００２】
図１、２、３、４は従来技術によるボールねじを示し、直径が小さいのでその体積も小さく、ボールの循環に関して、ナットの両端に循環孔（図示せず）を設置してボールを一端から他端へと循環させることができない。ナット１０のねじ溝１０１が斜めに環状に設けられ、ねじ軸１１の螺旋状のねじ溝１１１と対応してボール１２が回動して通過し、ナット１０の内面には貫通軸方向に凹溝１４が設けられ、凹溝１４内に大きさがほぼ対応した循環ブロック１３が設置される。循環ブロック１３上端面には間隔を空けて循環溝１３１が設けられ、各循環溝１３１はナット１０のねじ溝１０１および凹溝１４と境を接して接続され、各循環溝１３１の位置は図４に示すようにやや下方に位置し、ねじ軸１１はナット１０内で回動して往復移動できる。ナット１０の各ねじ溝１０１および対応する循環ブロック１３の循環溝１３１内においてボールが循環して回動しつづけ、ねじ軸１１をスムーズに移動させることができる。従来技術による循環ブロック１３は凹溝１４とサイズをほぼ同じにすることによって定位されるために、循環ブロック１３の循環溝１３１とナット１０のねじ溝１０１とを対応させるとき、修正しにくく、組立も容易ではない。また、ねじ軸１１およびナット１０を使用するとき、ボール１２が循環ブロック１３を押圧し、循環ブロック１３を径方向へ振動させ、循環ブロック１３とナット１０との間に隙間を生じさせる。例えば、図４に示す落差Ｌによって循環ブロック１３の循環溝１３１とナット１０のねじ溝１０１との対応部分は影響を受け、ボール１２が循環経路内でスムーズに回動しなくなり、運転効率が低下し、騒音が発生する。
【特許文献１】実用新案登録第３１１１８７８号
【考案の開示】
【考案が解決しようとする課題】
【０００３】
本考案の目的は、ボールねじの循環ブロックを容易に、迅速に定位固定し、ボールをスムーズに回動させることができるボールねじの循環ブロックの定位構造を提供することにある。
【課題を解決するための手段】
【０００４】
上記課題を解決するために、本考案は、下記の特徴を有するボールねじの循環ブロックの定位構造を提供する。
１．請求項１に記載のボールねじの循環ブロックの定位構造は、
ボールねじの循環ブロックの少なくとも一端に突出した定位キーが設けられ、ナットの前記循環ブロックに対応する位置には凹溝が貫通し、前記ナットの端面の定位キーに対応する位置には前記凹溝よりも大きいキー溝が形成され、前記キー溝には径方向に二つの支持面が形成され、前記循環ブロックとナットとの間は螺合部材によって一体に固定されることを特徴とする。
２．請求項２に記載のボールねじの循環ブロックの定位構造は、
ボールねじの循環ブロックの少なくとも一端には突出した定位キーが設けられ、ナットの前記循環ブロックに対応する位置には凹溝が貫通し、前記ナット端面の定位キーに対応する位置には前記凹溝よりも大きいキー溝が形成され、前記キー溝には径方向に二つの支持面が形成され、前記ナットの軸孔の外側に近い位置には環状凹溝が形成され、前記環状凹溝にはＣ形リングが嵌入されて循環ブロックが固定されることを特徴とする。
３．請求項３に記載のボールねじの循環ブロックの定位構造は、請求項１の場合において、前記ナットと循環ブロックとは、軸方向に対応した位置で螺合部材によって固定されることを特徴とする。
４．請求項４に記載のボールねじの循環ブロックの定位構造は、請求項１の場合において、前記循環ブロックの定位キーは、螺合部材によって支持面に固定され、それによって循環ブロックは固定されることを特徴とする。
５．請求項５に記載のボールねじの循環ブロックの定位構造は、請求項１または２の場合において、前記循環ブロックの少なくとも一側の端面には複数の深い孔が設けられ、定位キーは独立した塊体であり、深い孔の端面に対応する位置には複数の深い孔に対応し、サイズがほぼ等しい凸部が設けられ、前記凸部は前記深い孔内に挿入されて定位キーと循環ブロックとは一体に固定されることを特徴とする。
【考案の効果】
【０００５】
ボールねじの循環ブロックの一端または両端に突出した定位キーが設けられ、ナットの循環ブロックに対応する位置には凹溝が貫通し、ナットの端面の定位キーに対応する位置には凹溝よりも大きいキー溝が形成され、キー溝には径方向に二つの支持面が形成されて定位キーが支持される。循環ブロックの定位キーは螺合部材によって支持面に固定され、循環ブロックが固定される。または、ナットの軸孔の外側に近い位置には環状凹溝が形成され、環状凹溝にはＣ形リングが嵌入されて循環ブロックが固定される。または、ナットと循環ブロックとが軸方向に対応した位置で複数の螺合部材によって固定される。上述の構造によって、ボールねじの循環ブロックを容易に定位して径方向および軸方向へ移動させないようにし、ボールをスムーズに回動させることができる。
【考案を実施するための最良の形態】
【０００６】
本考案の目的、特徴および効果を示す実施例を図に沿って詳細に説明する。本実施例は説明のためのものであり、本考案の技術に基づく改良はすべて本考案に含まれる。
【０００７】
図５、６は本考案の第１の実施例を示し、ナット２０には軸孔２５が貫通し、軸孔２５の壁面には環状のねじ溝２２が設けられ、ナット２０の内壁面には凹溝２１が貫通し、軸孔２５と連通している。凹溝２１の一端には凹溝２１よりも大きいキー溝２３が設けられ、凹溝２１両側には支持面２６、２７が形成される。各支持面２６、２７には深いねじ孔２４（支持面２７の深いねじ孔は図示せず）が設けられる。循環ブロック３０の上面には間隔を空けた循環溝３１が配列し、循環ブロック３０の一端には突出した定位キー３２が設けられる。定位キー３２の両端には貫通孔３３、３４が設けられ、循環ブロック３０はナット２０の凹溝２１内に設置され、定位キー３２が両支持面２６、２７に支持されて循環ブロック３０が定位される。循環ブロック３０の各循環溝３１はナット２０のねじ溝２２と対応して接続され、循環ブロック３０はさらに二つのねじ３５、３６が定位キー３２の両貫通孔３３、３４を貫通し、支持面２６、２７の深いねじ孔２４に固定されることによって循環ブロック３０は径方向および軸方向へ移動することなく、循環ブロック３０の循環溝３１とナット２０のねじ溝２２との対応した接続を保持させることができる。上述の構造によって、ボールねじの循環ブロック３０を容易に定位して径方向および軸方向へ移動させないようにし、ボールをスムーズに回動させることができる。
【０００８】
図７、８、９は本考案の第２の実施例を示し、本実施例のナット２０と循環ブロック３０の定位構造は第１の実施例と同一であり、突出した定位キー３２が両支持面２６、２７に支持されて定位される。本実施例における循環ブロック３０が移動するのを防ぐ構造は、軸孔２５のナット２０の外端面に近い位置に環状凹溝２８が形成され、環状凹溝２８にＣ形リング４０が嵌入され、凹溝２１内の循環ブロック３０はＣ形リング４０によって支持されて位置が移動せず、同時に、循環ブロック３０の循環溝３１とナット２０のねじ溝２２との対応した接続が保持されるという構造である。
【０００９】
図１０、１１、１２は本考案の第３の実施例を示し、本実施例の循環ブロック３０とナット２０との間の定位は前二種の実施例と同一であり、突出した定位キー３２が両支持面２６、２７に支持されて定位される。本実施例における循環ブロック３０が移動するのを防ぐ構造は、循環ブロック３０の底面に深いねじ孔３３が設けられ、ナット２０の外面の深いねじ孔３３に対応する位置に貫通孔２９がそれぞれ設けられ、ねじ４１が各貫通孔２９を貫通し、深いねじ孔３３に固定され循環ブロック３０は径方向にも軸方向にも移動せず、同時に、循環ブロック３０の循環溝３１とナット２０のねじ溝２２との対応した接続が保持されるという構造である。
【００１０】
図１３は本考案の循環ブロック３０の第２の実施例を示し、循環ブロック０の一側の端面に複数の深い孔３７が設けられ、定位キー３２は独立した塊体であり、深い孔３７の端面に対応して複数の凸部３８が設けられ、各深い孔３７および凸部３８のサイズは極めてほぼ等しく、外力によって凸部３８を深い孔３７内に挿入でき、定位キー３２と循環ブロック３０とを一体に固定できる。
【００１１】
図１４は本考案の循環ブロック３０の第３の実施例を示し、循環ブロック３０の両端面に複数の深い孔３７がそれぞれ設けられ、二つの複数の凸部３８を備える定位キー３２を外力によってそれぞれ対応する深い孔３７内に挿入でき、両定位キー３２を循環ブロック３０の両端に固定できる。
【００１２】
上述の説明から分かるように、本考案は実用性および進歩性を備え、国内外の文献には本考案と同一または類似するものはない。
【図面の簡単な説明】
【００１３】
【図１】従来技術によるボールねじを示す断面図である。
【図２】従来技術によるボールねじのナットおよび循環ブロックを示す立体分解図である。
【図３】従来技術によるボールねじのナットおよび循環ブロックを組立てた後の状態を示す縦断面図である。
【図４】従来技術によるボールねじのナットおよび循環ブロックを組立てた後の状態を示す横断面図である。
【図５】本発明の第１の実施例によるナットおよび循環ブロックを示す立体分解図である。
【図６】図５の組立後の状態を示す斜視図である。
【図７】本発明の第２の実施例によるナットおよび循環ブロックを示す立体分解図である。
【図８】図７の組立後の状態を示す斜視図である。
【図９】図８の断面図である。
【図１０】本発明の第３の実施例によるナットおよび循環ブロックを示す立体分解図である。
【図１１】図１０の組立後の状態を示す斜視図である。
【図１２】図１１の断面図である。
【図１３】本発明による循環ブロックの第２の実施例を示す断面図である。
【図１４】本発明による循環ブロックの第３の実施例を示す断面図である。
【符号の説明】
【００１４】
２０    ナット
２１    凹溝
２２    ねじ溝
２３    キー溝
２４    ねじ孔
２５    軸孔
２６、２７    支持面
２８    環状凹溝
２９、３４    貫通孔
３０    循環ブロック
３１    循環溝
３２    定位キー
３３    深いねじ孔
３５、３６、４１、４２    ねじ
３７    深い孔
３８    凸部
４０    Ｃ形リング
【図１】
0003122121.tif 000003
【図２】
0003122121.tif 000004
【図３】
0003122121.tif 000005
【図４】
0003122121.tif 000006
【図５】
0003122121.tif 000007
【図６】
0003122121.tif 000008
【図７】
0003122121.tif 000009
【図８】
0003122121.tif 000010
【図９】
0003122121.tif 000011
【図１０】
0003122121.tif 000012
【図１１】
0003122121.tif 000013
【図１２】
0003122121.tif 000014
【図１３】
0003122121.tif 000015
【図１４】
0003122121.tif 000016